(57)【要約】      （修正有）【課題】タイツ等の整理に好適に用いられ、タンス等の引き出し等に収納しておいて所望のタイツ等を容易に見つけ出すことができる留め具を提供する。【解決手段】留め具１０は、略長方形の板状の３つの薄板材（第一薄板部１１、第二薄板部１２および第三薄板部１３）および表示部１４を含んで構成され、これらの３つの薄板材のうちの１つ（第一薄板部１１）は他の２つよりも長手方向が長く、この第一薄板部１１の他の２つのうちの１つの薄板材（第二薄板部１２）が第一薄板部１１と長手方向を揃えるように、他の２つのうちのもう１つの薄板材（第三薄板部１３）により連結され、側面形状がコの字形状に構成される。これらの薄板材の長手方向に平行な方向および長手方向に垂直な方向に沿って、薄板材に表示部１４が設けられている。【選択図】図１
0003216148.tif 000002
【実用新案登録請求の範囲】
【請求項１】
人が足に履く下肢被覆衣類に用いられる留め具であって、
略長方形の板状の３つの薄板材および表示部を含み、
３つの薄板材の１つは他の２つよりも長く、
他の２つのうちの１つの薄板材が、長い薄板材と長手方向を揃えるように、他の２つのうちのもう１つの薄板材により連結され、
前記長手方向に平行な方向および前記長手方向に垂直な方向の少なくともいずれかの方向に沿って、前記薄板材に前記表示部が設けられたことを特徴とする、留め具。
【考案の詳細な説明】
【技術分野】
【０００１】
本考案は、タイツ、パンティーストッキング等の下肢被覆衣類に用いられる留め具に関し、特に、着用後にタンス等の引き出し等に収納しておいて次の使用機会の際に所望の下肢被覆衣類を容易に見つけ出すことのできる留め具に関する。
【背景技術】
【０００２】
近年の生活習慣上、足に装着する衣類として靴下があり、人が靴を履くときに多くの人々が使用している。このような衣類の中で、特に、女性の下肢を覆う下肢被覆衣類であるストッキングやタイツは、外出時における女性の脚部の保護および保温さらには脚線美の向上の観点等から、広く世間に浸透している。
このような下肢被覆衣類の中でタイツは専ら冬季に着用され、保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがある。そして、この保温性は、タイツの厚みに関係し、タイツの厚みはタイツを編成する糸の太さにより大きく左右される。ここで、糸の太さを表す恒長式指数（単位長さあたりの重量）の単位は、ＳＩ単位系ではデシテックス（記号Ｔ：１０,０００ｍあたりの重量）であるが、タイツの商品パッケージではデニール（記号Ｄ：９,０００ｍあたりの重量）も多く使用され、デニールが保温性の指標として最も一般的に用いられている。
【０００３】
冬季の寒さは人によって感じ方が異なるため、タイツ市場においては、ユーザの多様なニーズに応えるべく、同じ色合いであっても、様々な厚み（デニール）のタイツを販売し、ユーザも同じ色合いであっても異なる厚みのタイツを複数購入して、寒さに合わせて選んで着用している。
ところで、このようなタイツは、購入時には、タイツの厚みを容易に認識できるパッケージ（パッケージにデニール表示）に収納されているが、購入後または着用後にそのパッケージは廃棄されて、多くの場合、タンス等の引き出しにタイツは丸めて収納される。同じような色合いの３以上の厚みの異なるタイツが引き出しに丸めて並んで収納されていると、どのタイツが一番厚いのか一番薄いのかは一見しただけではわからない。このため、引き出しから取り出してみて着用して（試しに腕を通してみて）所望の厚みのタイツでないことがわかる場合がある。これでは、タンス等の引き出しに丸めて収納されている複数のタイツの中から所望の保温性を備えたタイツをユーザが容易に選ぶことができない。
【０００４】
このような問題を解決するために、本願出願人により出願されたタイツが特開２０１６−０００８７８号公報（特許文献１）に開示されている。この特許文献１に開示されたタイツは、フット部、レッグ部およびパンティー部から構成されるタイツであって、前記パンティー部上端のウエストバンド部の肌側および／または肌の反対側に、前記タイツを編成する編み糸の太さを表すデニール表示を備えていることを特徴とする。このタイツによると、タンス等の引き出しに丸めて収納されている複数のタイツの中から所望の保温性を備えたタイツをユーザが容易に選ぶことができる。
【先行技術文献】
【特許文献】
【０００５】
【特許文献１】特開２０１６−０００８７８号公報
【考案の概要】
【考案が解決しようとする課題】
【０００６】
この特許文献１に開示されたタイツは好評を得ているのであるが、タイツ単体で整理しやすいという反面パンティー部上端のウエストバンド部（肌側および／または肌の反対側）が見えるように整理する必要があるという問題点を感じるユーザも存在する。
本考案は、従来技術の上述の問題点に鑑みて開発されたものであり、その目的とするところは、タイツ、パンティーストッキング等の下肢被覆衣類の整理に好適に用いられ、タンス等の引き出し等に収納しておいて次の使用機会の際に所望の下肢被覆衣類を容易に見
つけ出すことのできる留め具を提供することである。
【０００７】
なお、本考案に係る留め具が好適に適用される下肢被覆衣類には、タイツ、パンティーストッキングのみならずこれらの一部（足首より先の部分やパンティー部等）を欠落させた、パンティー部のないストッキング、スパッツ、レギンスおよびトレンカ等と呼ばれるものを含む。
【課題を解決するための手段】
【０００８】
上記目的を達成するため、本考案に係る下肢被覆衣類に用いられる留め具は以下の技術的手段を講じている。
すなわち、本考案に係る留め具は、人が足に履く下肢被覆衣類に用いられる留め具であって、略長方形の板状の３つの薄板材および表示部を含み、３つの薄板材の１つは他の２つよりも長く、他の２つのうちの１つの薄板材が、長い薄板材と長手方向を揃えるように、他の２つのうちのもう１つの薄板材により連結され、前記長手方向に平行な方向および前記長手方向に垂直な方向の少なくともいずれかの方向に沿って、前記薄板材に前記表示部が設けられたことを特徴とする。
【考案の効果】
【０００９】
本考案に係る留め具によると、タイツ、パンティーストッキング等の下肢被覆衣類の整理に好適に用いられ、タンス等の引き出し等に収納しておいて次の使用機会の際に所望の下肢被覆衣類を容易に見つけ出すことができる。
【図面の簡単な説明】
【００１０】
【図１】（Ａ）本考案の第１の実施の形態に係る留め具１０の斜視図、（Ｂ）留め具１０の側面図、（Ｃ）留め具１０の正面図、である。
【図２】留め具１０の使用方法を説明するための図（その１）である。
【図３】留め具１０の使用方法を説明するための図（その２）である。
【図４】（Ａ）本考案の第２の実施の形態に係る留め具１００の斜視図、（Ｂ）留め具１００の側面図、（Ｃ）留め具１００の正面図、である。
【図５】留め具１００の使用方法を説明するための図（その１）である。
【図６】留め具１００の使用方法を説明するための図（その２）である。
【考案を実施するための形態】
【００１１】
以下、本考案の実施の形態に係る硬質プラスチック製であって下肢被覆衣類に用いられる留め具（以下において単に留め具と記載する場合がある）を、図面に基づき詳しく説明する。なお、以下の説明においては、硬質プラスチック製の留め具について説明するが、本考案はこれに限定されるものではなく、紙の素材を含み、他の金属等の素材から構成されていても、これらの素材の中から複数の素材が組み合わせられて構成されていても構わない。なお、本考案の実施の形態に係る留め具として、第１の実施の形態に係る留め具１０（図１〜図３）および第２の実施の形態に係る留め具１００（図４〜図６）に分けて説明する。
＜第１の実施の形態＞
以下において、本考案の第１の実施の形態に係る留め具１０について説明する。図１（Ａ）にこの留め具１０の斜視図を、図１（Ｂ）にこの留め具１０の側面図を、図１（Ｃ）にこの留め具１０の正面図を、それぞれ示す。
【００１２】
この留め具１０は、以下に示すような技術的特徴を備える。この留め具１０は、上述したように人が足に履く下肢被覆衣類（主としてタイツ）に用いられる。この留め具１０は、略長方形の板状の３つの薄板材（第一薄板部１１、第二薄板部１２および第三薄板部１３）および表示部１４を含んで構成されている。これらの３つの薄板材のうちの１つ（第一薄板部１１）は他の２つ（第二薄板部１２および第三薄板部１３）よりも長手方向が長い。そして、この第一薄板部１１の他の２つ（第二薄板部１２および第三薄板部１３）のうちの１つの薄板材（第二薄板部１２）が長い薄板材（第一薄板部１１）と長手方向を揃えるように、他の２つ（第二薄板部１２および第三薄板部１３）のうちのもう１つの薄板材（第三薄板部１３）により連結されている。
【００１３】
その結果、図１（Ｂ）に示すように、側面形状がコの字形状（ただし開放側が狭くなっ
ている）に構成される。さらに、これらの薄板材の長手方向に平行な方向および長手方向に垂直な方向の少なくともいずれかの方向に沿って（留め具１０においては双方）、薄板材に表示部１４が設けられている。
なお、この留め具１０は、３つの薄板材を接合しても構わないし、上述したように１つの部材で３つの薄板部を構成するようにしても構わない。より具体的には、この留め具１０（３つの薄板部および表示部１４）を硬質プラスチック製で構成して、樹脂成形法によりこれらを一体成形して製造することがコスト面で好ましい。さらに、限定されるものではないが、表示部１４０は、紙製のシールに所望の情報（ここではデニール数）を印刷して、そのシールを折り曲げて、第二薄板部１２に平行表示部１４Ａをこれらの薄板材の長手方向に平行な方向に設けて、第三薄板部１３に垂直表示部１４Ｂをこれらの薄板材の長手方向に垂直な方向に設けている。
【００１４】
図１（Ｂ）に示すように、第二薄板部１２はその長手方向中央部近傍に第一薄板部１１に向けて第二薄板部１２との距離が一旦小さくなり再度大きくなるように屈曲した屈曲部１２Ｄを備える。このため、第一薄板部１１と第二薄板部１２との距離（下肢部分が丸められた下肢被覆衣類が挟持される間隙）は、この屈曲部１２Ｄにおいては、距離Ｄ（３）が連結側の距離Ｄ（１）および開放側の距離Ｄ（２）よりも短くなる。なお、好ましくは、開放側の距離Ｄ（２）は連結側の距離Ｄ（１）よりも短い。
【００１５】
表示部１４には、好適に用いられる下肢被覆衣類の一例であるタイツに使用されている編み糸の太さをデニール表示している。しかしながら、表示部１４に表示する情報はこのようなデニールに限定されるものではなく、色合い等であっても構わない。
以上のような構造を備えた留め具１０の使用方法について、図２および図３を参照して説明する。
【００１６】
図２においては、下肢被覆衣類の一例としてタイツＴをこの留め具１０に採用してタンスの引き出し２００に収納する使用方法を示し、図３においては、下肢被覆衣類の一例としてタイツＴにこの留め具１０に採用して販売店の展示販売台３００に適用する使用方法を示す。
図２に示すように、着用後に脱いだタイツＴを、矢示Ａに示すように、タイツＴの左右を折り重ねた後にタイツＴの長手方向を一回折り返して爪先側とウエストバンド側とを重ねた状態で、この重ねた部分または膝部分が始端または終端になるように丸める（ここでは膝部分が始端で重ねた部分が終端であって重ねた部分がタイツＴを丸めた略円筒形状の外周側に現れる）。次に、矢示Ｂに示すように、丸まったタイツＴの中心部（タイツＴの折り返した膝部分）に留め具１０の第一薄板部１１を挿入する。このとき、第一薄板部１１と第二薄板部１２との間に形成されている間隙に丸められた下肢部分が挟持される。このため、第二薄板部１２は丸められたタイツＴの外周に当接してここを支持し、第三薄板部１３は丸められたタイツＴの上面に当接してここを支持することになる。このとき、丸められたタイツＴの略円筒外周近傍に平行表示部１４Ａおよび中心部近傍に垂直表示部１４Ｂが見えている。
【００１７】
なお、第三薄板部１３は丸められたタイツＴの上面に必ずしも当接する必要はないが、第一薄板部１１と第二薄板部１２とは丸められた下肢部分が当接して、第一薄板部１１と第二薄板部１２との間隙に丸められた下肢部分が挟持されなければならない。この場合において、屈曲部１２Ｄの存在により、タイツＴの丸められた下肢部分からこの留め具１０が容易に離脱しないでタイツＴと留め具１０とを一体的に収納することができる。なお、硬質プラスチックのような素材でこの留め具１０を構成することにより、第一薄板部１１と第二薄板部１２との間隙を（屈曲部１２Ｄの形状も相俟って）手で容易に広げることができるので、使用する際には、留め具１０をタイツＴから容易に離脱させることができる。
【００１８】
次に、矢示Ｃに示すように、タンスの引き出し２００に表示部１４を上方に向けて収納する。このため、引き出しに多数並べて収納されたタイツＴのそれぞれの略円筒外周近傍に平行表示部１４Ａおよび中心部近傍に垂直表示部１４Ｂが現れる。このため、タンスの引き出し２００に丸めて収納されている複数のタイツＴの中から所望（の保温性を備えた
）タイツＴをユーザが容易に選ぶことができる。
【００１９】
次いで、図３に示すように、この留め具１０を含めてタイツＴを展示販売する場合について説明する。図３には、販売店に設置される展示販売台３００に、透明のパッケージＰに図２のタンスの引き出し２００に収納されている状態のタイツＴ（この場合のタイツＴは図２と違い未使用品）および留め具１０が収納されている。このようにパッケージＰに収納されたタイツＴが留め具１０とともに展示販売される。
【００２０】
パッケージＰに収納されて展示販売されているタイツＴを購入して着用した後は、図２を用いて説明した使用方法でタイツＴをタンスの引き出し２００に収納することになる。なお、展示販売方法はこのようにタイツＴに留め具１０を組み合わせて販売するものに限定されず、タイツＴと組み合わせるのではなく留め具１０単体で販売しても構わない。留め具１０単体で販売する場合には、表示部１４の表示内容が異なる複数の留め具１０を組み合わせて販売することも好ましい。また、表示部１４はユーザが書き込めるように無地であっても構わない。
【００２１】
以上のようにして、本実施の形態に係る留め具１０によると、タイツ、パンティーストッキング等の下肢被覆衣類の整理に好適に用いられ、タンス等の引き出し等に収納しておいて次の使用機会の際に所望の下肢被覆衣類を容易に見つけ出すことができる。
＜第２の実施の形態＞
以下において、本考案の第２の実施の形態に係る留め具１００について説明する。図４（Ａ）にこの留め具１００の斜視図を、図４（Ｂ）にこの留め具１００の側面図を、図４（Ｃ）にこの留め具１００の正面図を、それぞれ示す。
【００２２】
この留め具１００は、以下に示すような技術的特徴を備える。この留め具１００は、上述したように人が足に履く下肢被覆衣類（主としてタイツ）に用いられる。この留め具１００は、略長方形の板状の３つの薄板材（第一薄板部１１０、第二薄板部１２０および第三薄板部１３０）および表示部１４０を含んで構成されている。これらの３つの薄板材のうちの１つ（第一薄板部１１０）は他の２つ（第二薄板部１２０および第三薄板部１３０）よりも長手方向が長い。そして、この第一薄板部１１０の他の２つ（第二薄板部１２０および第三薄板部１３０）のうちの１つの薄板材（第二薄板部１２０）が長い薄板材（第一薄板部１１０）と長手方向を揃えるように、他の２つ（第二薄板部１２０および第三薄板部１３０）のうちのもう１つの薄板材（第三薄板部１３０）により連結されている。
【００２３】
その結果、図４（Ｂ）に示すように、側面形状がユの字形状に構成される。
さらに、これらの薄板材の長手方向に平行な方向および長手方向に垂直な方向の少なくともいずれかの方向に沿って（留め具１００においては長手方向に平行な方向のみ）、薄板材に表示部１４０が設けられている。
なお、この留め具１００は、３つの薄板材を接合しても構わないし、上述したように１つの部材で３つの薄板部を構成するようにしても構わない。より具体的には、この留め具１００（３つの薄板部および表示部１４０）を硬質プラスチック製で構成して、樹脂成形法によりこれらを一体成形して製造することがコスト面で好ましい。
【００２４】
図４（Ｂ）に示すように、第二薄板部１２０はその長手方向中央部近傍に第一薄板部１１０に向けて第二薄板部１２０との距離が短くなるように湾曲した湾曲部１２０Ｗを備える。このため、第一薄板部１１０と第二薄板部１２０との距離（下肢部分が丸められた下肢被覆衣類が挟持される間隙）は、この湾曲部１２０Ｗにおける幅Ｗ（３）が連結側の幅Ｗ（２）および開放側の幅Ｗ（１）よりも短くなる。なお、限定されるものではないが、連結側の幅Ｗ（２）は開放側の幅Ｗ（１）よりも短い。
【００２５】
表示部１４０には、好適に用いられる下肢被覆衣類の一例であるタイツに使用されている編み糸の太さをデニール表示している。しかしながら、表示部１４０に表示する情報はこのようなデニールに限定されるものではなく、色合い等であっても構わない。
以上のような構造を備えた留め具１００の使用方法について、図５および図６を参照して説明する。
【００２６】
図５においては、下肢被覆衣類の一例としてタイツＴをこの留め具１００に採用してタンスの引き出し２００に収納する使用方法を示し、図６においては、下肢被覆衣類の一例
としてタイツＴにこの留め具１００に採用して販売店の展示販売台３００に適用する使用方法を示す。
図５に示すように、着用後に脱いだタイツＴを、矢示Ａに示すように、タイツＴの左右を折り重ねた後にタイツＴの長手方向を一回折り返して爪先側とウエストバンド側とを重ねた状態で、この重ねた部分または膝部分が始端または終端になるように丸める（ここでは膝部分が始端で重ねた部分が終端であって重ねた部分がタイツＴを丸めた略円筒形状の外周側に現れる）。次に、矢示Ｂに示すように、丸まったタイツＴの中心部（タイツＴの折り返した膝部分）に留め具１００の第一薄板部１１０を挿入する。このとき、第一薄板部１１０と第二薄板部１２０との間に形成されている間隙に丸められた下肢部分が挟持される。このため、第二薄板部１２０は丸められたタイツＴの外周に当接してここを支持し、第三薄板部１３０は丸められたタイツＴの上面に当接してここを支持することになる。このとき、丸められたタイツＴの中心部近傍から表示部１４０が立設するように見えている。
【００２７】
なお、第三薄板部１３０は丸められたタイツＴの上面に必ずしも当接する必要はないが、第一薄板部１１０と第二薄板部１２０とは丸められた下肢部分が当接して、第一薄板部１１０と第二薄板部１２０との間隙に丸められた下肢部分が挟持されなければならない。この場合において、湾曲部１２０Ｗの存在により、タイツＴの丸められた下肢部分からこの留め具１００が容易に離脱しないでタイツＴと留め具１００とを一体的に収納することができる。なお、硬質プラスチックのような素材でこの留め具１００を構成することにより、第一薄板部１１０と第二薄板部１２０との間隙を手で容易に広げることができるので、使用する際には、留め具１００をタイツＴから容易に離脱させることができる。
【００２８】
次に、矢示Ｃに示すように、タンスの引き出し２００に表示部１４０を上方に向けて収納する。このため、引き出しに多数並べて収納されたタイツＴのそれぞれの中心部近傍の上方に表示部１４０が現れる。このため、タンスの引き出し２００に丸めて収納されている複数のタイツＴの中から所望（の保温性を備えた）タイツＴをユーザが容易に選ぶことができる。
【００２９】
次いで、図６に示すように、この留め具１００を含めてタイツＴを展示販売する場合について説明する。図６には、販売店に設置される展示販売台３００に、透明のパッケージＰに図５のタンスの引き出し２００に収納されている状態のタイツＴ（この場合のタイツＴは図５と違い未使用品）および留め具１００が収納されている。このようにパッケージＰに収納されたタイツＴが留め具１００とともに展示販売される。
【００３０】
パッケージＰに収納されて展示販売されているタイツＴを購入して着用した後は、図５を用いて説明した使用方法でタイツＴをタンスの引き出し２００に収納することになる。なお、展示販売方法はこのようにタイツＴに留め具１００を組み合わせて販売するものに限定されず、タイツＴと組み合わせるのではなく留め具１００単体で販売しても構わない。留め具１００単体で販売する場合には、表示部１４０の表示内容が異なる複数の留め具１００を組み合わせて販売することも好ましい。また、表示部１４０はユーザが書き込めるように無地であっても構わない。
【００３１】
以上のようにして、本実施の形態に係る留め具１００によると、タイツ、パンティーストッキング等の下肢被覆衣類の整理に好適に用いられ、タンス等の引き出し等に収納しておいて次の使用機会の際に所望の下肢被覆衣類を容易に見つけ出すことができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
本考案は、タイツ、パンティーストッキング等の下肢被覆衣類の収納に好適であり、次の使用機会の際に所望の下肢被覆衣類を容易に見つけ出すことができる点で特に好適である。
【符号の説明】
【００３３】
１０、１００  （下肢被覆衣類に用いられる）留め具
１１、１１０  第一薄板部
１２、１２０  第二薄板部
１３、１３０  第三薄板部
１４、１４０  表示部
２００  引き出し
３００  展示販売台
Ｔ  タイツ
Ｐ  パッケージ
【図１】
0003216148.tif 000003
【図２】
0003216148.tif 000004
【図３】
0003216148.tif 000005
【図４】
0003216148.tif 000006
【図５】
0003216148.tif 000007
【図６】
0003216148.tif 000008